(57)【特許請求の範囲】
【請求項１】
発電プラントの監視画面を表示する表示領域を有する表示装置を備え、この表示装置の表示領域に表示される監視画面は、他の画面とは重ならないように表示される形態のベース画面と、他の画面の上に重ねて表示される形態のポップアップ画面を有し、かつ前記ベース画面は表示装置の表示領域に同時に複数枚表示されるものであり、
前記ベース画面に表示する図面に関する情報を保存したベース画面テーブルと、前記ポップアップ画面に関する情報を保存したポップアップ画面テーブルと、前記ベース画面またはポップアップ画面に表示される図面と関連する図面である関連図に関する画面情報を保存した関連図テーブルと、オペレータからの指示を受け付ける複数の対話手段とを備え、
前記複数の対話手段の中で、第１の対話手段は、ベース画面の一部に、ベース画面に表示された図面に関する関連図を呼び出すための関連図ボタンを表示し、オペレータからの関連図ボタンの選択処理を促すものであり、
前記第１の対話手段を通じてオペレータが選択したベース画面に表示された図面に関する関連図であって、かつ、前記第１の対話手段により画面に表示することを指示された関連図を、前記関連図テーブルの画面情報に基づいて、前記指定されたベース画面とは異なる所定のベース画面またはポップアップ画面に表示するようにした発電プラント監視装置において、
前記複数の対話手段の中で、第２の対話手段は、登録対象となる図面のリストをオペレータに対して選択肢として表示する登録画面選択メニューと、この登録画面選択メニュー中の図面をオペレータが選択するための表示ボタンと、前記選択表示によってオペレータが選択した図面に対して登録すべき関連図のリストをオペレータに対して選択肢として表示する関連図選択メニューと、この関連図選択メニュー中の関連図をオペレータが選択するための表示ボタンを、前記表示装置に表示するものであり、
オペレータの前記第２の対話手段を通じた指示により、前記関連図テーブルに関連図として更新登録する画面候補として、前記ポップアップ画面テーブルおよび前記ベース画面テーブルを前記表示装置に表示する画面テーブル表示手段と、
前記ポップアップ画面テーブルおよび前記ベース画面テーブルから、オペレータの前記第２の対話手段を通じた指示により、選択された前記ポップアップ画面情報およびベース画面情報を、前記関連図の画面情報として関連図テーブルに更新登録する関連図登録手段と、を備え、
前記複数の対話手段の中で、第３の対話手段は、第１の対話手段によって選択された図面に関連する関連図として前記関連図テーブルに記録されている図面のリストをオペレータの選択肢として表示すると共に、この関連図のリストに表示されている関連図を、表示装置のいずれの画面に表示するかの指示をオペレータに促す関連図メニュー対話画面を備え、
前記第１の対話手段は、第１の対話手段を通じたオペレータからの指示により、前記複数のベース画面の中の一つのベース画面について、そのベース画面に関連する関連図を表示することが選択されたとき、第３の対話手段として、前記関連図メニュー対話画面を表示させるものであり、
前記第３の対話手段における関連図メニュー対話画面が表示された状態において、第３の対話手段からオペレータの指示により表示されている関連図リスト中から、表示すべき関連図が指定された場合に、指定されたその関連図を、前記関連図テーブルに記録された情報に基づいて、前記オペレータが関連図を表示することを指示したベース画面以外のオペレータが指定した他のベース画面上、あるいは前記関連図テーブルで予め指定されたポップアップ画面に表示することを特徴とする発電プラント監視装置。
【請求項２】
オペレータの前記対話手段を通じた指示により関連図の表示要求があったとき、前記関連図テーブルを参照して関連図を一括選択し、一括選択した画面を前記表示装置の所定の位置に表示する画面配置手段を設けたことを特徴とする請求項１に記載の発電プラント監視装置。
【請求項３】
前記関連図テーブルは、発電プラントからのプラントデータが入力手段により周期的に入力され更新保存される入力テーブル上の入力元であるプラントの入力点および前記入力点の状態を規定するイベント情報を予め記憶し、
前記入力テーブルの入力点の情報が前記関連図テーブルのイベント情報と一致したときに前記関連図テーブルに保存された当該関連図の画面を前記表示装置に表示するように通知する自動表示イベント通知手段を設けると共に、前記関連図登録手段は、関連図を前記関連図テーブルに更新登録する際に前記イベント情報を前記表示装置に表示することを特徴とする請求項１に記載の発電プラント監視装置。
【請求項４】
前記自動表示イベント通知手段で通知された画面の表示位置を予め設定し、
前記自動表示イベント通知手段から複数枚の画面が通知されたとき予め設定した表示位置に複数枚の画面を表示処理する自動表示位置複数設定手段を設けたことを特徴とする請求項３に記載の発電プラント監視装置。
【請求項５】
前記入力テーブルの入力点を特定する情報又は状態を示す入力点情報を表示しオペレータが前記対話手段を通じて選択した前記入力点情報を通知する入力テーブル表示手段を設け、
前記関連図登録手段は、前記入力テーブル表示手段から通知された前記入力点情報をイベント情報として規定される状態と共に前記関連図テーブルに更新登録することを特徴とする請求項４に記載の発電プラント監視装置。
【請求項６】
前記関連図テーブルに登録されたイベント情報をオペレータが前記対話手段を通じて選択した場合に、そのイベントを模擬発生させる自動表示イベント模擬手段を設けたことを特徴とする請求項５に記載の発電プラント監視装置。
【請求項７】
前記関連図登録手段により関連図テーブルの情報が更新登録されたとき、その更新登録された関連図テーブルの情報を他の発電プラント監視装置に配信する関連図テーブル配信手段を設けたことを特徴とする請求項１に記載の発電プラント監視装置。
【発明の詳細な説明】
【０００１】
【発明の属する技術分野】
本発明は、表示装置に監視画面を表示して発電プラントを監視する発電プラント監視装置に関する。
【０００２】
【従来の技術】
一般に、発電プラントの監視はプラントデータを計算機に取り込み、監視画面にプラントデータを表示して監視するようにしている。この場合、プラントのプロセス値の変化傾向やプラント警報等のイベントを把握し、イベントの発生タイミングやプロセス値のトレンドを監視画面に系統画面やトレンド画面として表示して監視する。そして、これらの画面をお互いの関連図として保持して、必要に応じて画面展開できるようにしている。
【０００３】
図２４は、従来の発電プラント監視装置のブロック構成図である。発電プラントからのプラントデータ１０３は、入力手段１０２により周期的に入力され、入力テーブル１０４に更新保存される。図２５は入力テーブル１０４の構成図であり、入力テーブル１０４には、各入力点における入力点番号、入力点名称、現在値等のデータがそれぞれ保存される。
【０００４】
一方、ベース画面テーブル１０５には監視画面のベースとなる画面データが記憶されており、図２６に示すように、ベース画面テーブル１０５は、画面番号、画面名称、固定表示画面情報、可変表示画面情報等のデータが保存されている。また、ポップアップ画面テーブル１０６にはベース画面上に表示されるホップアップ画面の画面データが記憶されており、図２７に示すように、画面番号、画面名称、固定表示画面情報、可変表示画面情報、ポップアップ画面表示位置情報等のデータが保存されている。
【０００５】
ベース画面作成手段１０７は、表示すべき監視画面の画面番号を通知されたときにベース画面テーブル１０５を参照して該当する画面番号を検索し、該当する画面番号の固定表示画面情報および可変表示画面情報を参照して画面を作成し、画面表示手段１１０に通知する。画面表示手段１１０は、通知された画面を表示装置１００に表示する。
【０００６】
同様に、ポップアップ画面作成手段１０８は、ポップアップ画面テーブル１１０を参照して該当する画面番号を検索し、該当する画面番号の固定表示画面情報および可変表示画面情報を参照してベース画面を作成し、画面表示手段１１０に通知する。画面表示手段１１０は、通知された画面とポップアップ画面表示位置情報を基にポップアップ画面を表示装置１００に表示する。
【０００７】
次に、関連図テーブル１１１には、監視画面に表示されるベース画面やホップアップ画面に関連する画面データが記憶されており、図２８に示すように、画面番号、画面名称、関連画面番号１〜ｎ、関連画面名称１〜ｎ等のデータが予め保存されている。
【０００８】
表示装置１００は、監視画面を表示するものであり、複数枚のベース画面を同時に表示可能となっている。また、対話装置１０１により対話手段１０９を起動して得られる表示画面も表示する。例えば、監視画面として、ベース画面ないしポップアップ画面を表示中に、オペレータは対話装置１０１から対話手段１０９を通して関連図一覧表示手段１１３を呼び出したとすると、関連図一覧表示手段１１３は関連図テーブル１１１を表示中の画面番号をキーとして検索して、関連する画面名称の一覧を得て、画面表示手段１１０を通して表示装置１００に関連画面名称の一覧を表示する。
【０００９】
そして、オペレータが対話装置１０１から対話手段１０９を通して、表示したい関連画面名称を選択すると、関連図選択手段１１２は選択された画面番号を画面番号に応じてベース画面作成手段１０７ないしポップアップ画面作成手段１０８に通知し、ベース画面作成手段１０７ないしポップアップ画面作成手段１０８は、画面表示手段１１０を通して表示装置１００にその関連画面を表示する。
【００１０】
このように、オペレータは、発電プラントのプラントデータの監視を表示装置を通して監視することができ、その監視中に他の関連画面に展開したい場合においても、関連図一覧を表示して、関連図を選択表示できるようになっている。これにより、プラント状態の急激な変化があったときであっても迅速な対応が行えるようになっている。
【００１１】
【発明が解決しようとする課題】
ところが、従来のこのような発電プラント監視装置においては、関連図テーブル１１１に記憶された関連図は予め定められており、追加や削除をすることができない構成となっている。これは、関連図を誤って削除しプラントの監視に支障を来さないようにするためである。一方、関連図の内容については部分的に修正可能となっている。例えば、プロセス量のトレンドを表示するトレンドグラフの修正は可能となっている。
【００１２】
従って、修正した画面が関連図として関連図テーブル１１１に保存されることになり、別の監視画面の関連図としてその修正した画面を登録したい場合であっても、別の監視画面の関連図としては関連図テーブル１１１に登録することができない。
【００１３】
オペレータはこの新たに修正した画面を見るためにはその監視画面の関連画面としてではなく、他の監視画面の関連図を取り出し該当する画面を表示しなければならない。すなわち、関連する画面をオペレータ自身が記憶し他のオペレータに周知する必要がある。
【００１４】
また、逆に関連図として登録してある画面を修正してしまった場合は、必要のない画面が関連図として残ってしまうことになる。このため、修正した本人以外のオペレータにとっては変更されたことがわからず、誤った画面を関連図としたまま監視をすることになる。
【００１５】
さらに、発電プラント監視装置が複数台ある場合においては、ある発電プラント監視装置で登録した関連図を他の発電プラント監視装置にも反映したい場合には、オペレータが自ら他の発電プラント監視装置にも反映する必要があり、オペレータの負担となってしまう。
【００１６】
本発明の目的は、監視画面の関連図を適切に更新できる発電プラント監視装置を提供することである。
【００１７】
【課題を解決するための手段】
請求項１の発明に係わる発電プラントの監視装置は、次の特徴を有する。
（１）発電プラントの監視画面を表示する表示領域を有する表示装置を備え、この表示装置の表示領域に表示される監視画面は、他の画面とは重ならないように表示される形態のベース画面と、他の画面の上に重ねて表示される形態のポップアップ画面を有し、かつ前記ベース画面は表示装置の表示領域に同時に複数枚表示されるものである。
（２）前記ベース画面に表示する図面に関する情報を保存したベース画面テーブルと、前記ポップアップ画面に関する情報を保存したポップアップ画面テーブルと、前記ベース画面またはポップアップ画面に表示される図面と関連する図面である関連図に関する画面情報を保存した関連図テーブルと、オペレータからの指示を受け付ける複数の対話手段とを備える。
（３）前記複数の対話手段の中で、第１の対話手段は、ベース画面の一部に、ベース画面に表示された図面に関する関連図を呼び出すための関連図ボタンを表示し、オペレータからの関連図ボタンの選択処理を促すものである。
（４）前記第１の対話手段を通じてオペレータが選択したベース画面に表示された図面に関する関連図であって、かつ、前記第１の対話手段により画面に表示することを指示された関連図を、前記関連図テーブルの画面情報に基づいて、前記指定されたベース画面とは異なる所定のベース画面またはポップアップ画面に表示する。
（５）前記複数の対話手段の中で、第２の対話手段は、登録対象となる図面のリストをオペレータに対して選択肢として表示する登録画面選択メニューと、この登録画面選択メニュー中の図面をオペレータが選択するための表示ボタンと、前記選択表示によってオペレータが選択した図面に対して登録すべき関連図のリストをオペレータに対して選択肢として表示する関連図選択メニューと、この関連図選択メニュー中の関連図をオペレータが選択するための表示ボタンを、前記表示装置に表示する。
（６）オペレータの前記第２の対話手段を通じた指示により、前記関連図テーブルに関連図として更新登録する画面候補として、前記ポップアップ画面テーブルおよび前記ベース画面テーブルを前記表示装置に表示する画面テーブル表示手段と、前記ポップアップ画面テーブルおよび前記ベース画面テーブルから、オペレータの前記第２の対話手段を通じた指示により、選択された前記ポップアップ画面情報およびベース画面情報を、前記関連図の画面情報として関連図テーブルに更新登録する関連図登録手段と、を備える。
（７）前記複数の対話手段の中で、第３の対話手段は、第１の対話手段によって選択された図面に関連する関連図として前記関連図テーブルに記録されている図面のリストをオペレータの選択肢として表示すると共に、この関連図のリストに表示されている関連図を、表示装置のいずれの画面に表示するかの指示をオペレータに促す関連図メニュー対話画面を備える。
（８）前記第１の対話手段は、第１の対話手段を通じたオペレータからの指示により、前記複数のベース画面の中の一つのベース画面について、そのベース画面に関連する関連図を表示することが選択されたとき、第３の対話手段として、前記関連図メニュー対話画面を表示させるものである。
（９）前記第３の対話手段における関連図メニュー対話画面が表示された状態において、第３の対話手段からオペレータの指示により表示されている関連図リスト中から、表示すべき関連図が指定された場合に、指定されたその関連図を、前記関連図テーブルに記録された情報に基づいて、前記オペレータが関連図を表示することを指示したベース画面以外のオペレータが指定した他のベース画面上、あるいは前記関連図テーブルで予め指定されたポップアップ画面に表示する。
【００１８】
請求項１の発明に係わる発電プラントの監視装置においては、画面テーブル表示手段は、オペレータの指示により関連図テーブルに関連図として更新登録する画面候補を表示装置に表示する。関連図登録手段は、オペレータの指示により登録すべき画面が選択されたとき、その画面を関連図として関連図テーブルに更新登録する。これにより、関連図テーブルをオンラインで、作成、更新、削除することが可能となり、オペレータが任意の画面から他の画面への展開情報を登録でき、オペレータが表示中の画面から次の画面へ展開する負担の軽減を図れる。
【００２１】
請求項２の発明に係わる発電プラントの監視装置は、請求項１の発明において、オペレータの指示により関連図の表示要求があったとき、前記関連図テーブルを参照して関連図を一括選択し、一括選択した画面を前記表示装置の所定の位置に表示する画面配置手段を設けたことを特徴とする。
【００２２】
請求項２の発明に係わる発電プラントの監視装置においては、請求項１の発明の作用に加え、画面配置手段は、オペレータの指示により関連図の表示要求があったとき、関連図テーブルを参照して関連図を一括選択し、一括選択した画面を表示装置の所定の位置に表示する。これにより、オペレータの画面を展開する際の負担の軽減をする。
【００２３】
請求項３の発明に係わる発電プラントの監視装置は、請求項１の発明において、前記関連図テーブルは、前記入力テーブル上の入力点およびその状態を規定するイベント情報を予め記憶し、前記入力テーブルの入力点の情報が前記関連図テーブルのイベント情報と一致したときにその画面を前記表示装置に表示するように通知する自動表示イベント通知手段を設けると共に、前記関連図登録手段は、関連図を前記関連図テーブルに更新登録する際に前記イベント情報を前記表示装置に表示することを特徴とする。
【００２４】
請求項３の発明に係わる発電プラントの監視装置においては、請求項１の発明の作用に加え、自動表示イベント通知手段は、入力テーブルの入力点の情報が関連図テーブルのイベント情報と一致したときにその画面を表示装置に表示するように関連図登録手段に通知する。関連図登録手段は、関連図を関連図テーブルに更新登録する際に前記イベント情報を表示装置に表示する。
【００２５】
請求項４の発明に係わる発電プラントの監視装置は、請求項３の発明において、前記自動表示イベント通知手段で通知された画面の表示位置を予め設定し、前記自動表示イベント通知手段から複数枚の画面が通知されたとき予め設定した表示位置に複数枚の画面を表示処理する自動表示位置複数設定手段を設けたことを特徴とする。
【００２６】
請求項４の発明に係わる発電プラントの監視装置においては、請求項３の発明の作用に加え、自動表示位置複数設定手段は、自動表示イベント通知手段で通知された画面の表示位置を予め設定し、自動表示イベント通知手段から複数枚の画面が通知されたとき予め設定した表示位置に複数枚の画面を表示処理する。これにより、イベント発生時の監視性を向上させる。
【００２７】
請求項５の発明に係わる発電プラントの監視装置は、請求項４の発明において、前記入力テーブルの入力点情報を表示しオペレータが選択した入力点情報を通知する入力テーブル表示手段を設け、前記関連図登録手段は、前記入力テーブル表示手段から通知された入力点情報をイベント情報として規定される状態と共に前記関連図テーブルに更新登録することを特徴とする。
【００２８】
請求項５の発明に係わる発電プラントの監視装置においては、請求項４の発明の作用に加え、関連図登録手段は、入力テーブル表示手段から通知された入力点情報をイベント情報として規定される状態と共に関連図テーブルに更新登録する。これにより、任意のイベント発生時の監視性を向上させる。
【００２９】
請求項６の発明に係わる発電プラントの監視装置は、請求項５の発明において、前記関連図テーブルに登録されたイベント情報を選択してそのイベントを模擬発生させる自動表示イベント模擬手段を設けたことを特徴とする。
【００３０】
請求項６の発明に係わる発電プラントの監視装置においては、請求項５の発明の作用に加え、自動表示イベント模擬手段は、関連図テーブルに登録されたイベント情報を選択してそのイベントを模擬発生させる。これにより、オペレータがイベントを起こさなくても、登録した画面が自動表示されるのでオペレータの操作負担が軽減される。
【００３１】
請求項７の発明に係わる発電プラントの監視装置は、請求項１の発明において、前記関連図登録手段により関連図テーブルに関連図情報が更新登録されたとき、その更新登録された関連図情報を他の発電プラント監視装置に配信する関連図テーブル配信手段を設けたことを特徴とする。
【００３２】
請求項７の発明に係わる発電プラントの監視装置においては、請求項１の発明の作用に加え、関連図テーブル配信手段は、関連図登録手段により関連図テーブルに関連図情報が更新登録されたとき、その更新登録された関連図情報を他の発電プラント監視装置に配信する。これにより、オペレータの全発電プラント監視装置へ同じ情報を登録し各発電プラント監視操作での操作負担を軽減する。
【００３３】
【発明の実施の形態】
以下、本発明の実施の形態を説明する。図１は本発明の第１の実施の形態に係わる発電プラント監視装置のブロック構成図である。この第１の実施の形態は、図２４に示した従来例に対し、オペレータの指示により関連図テーブル１１１に関連図として更新登録する画面候補を表示装置１００に表示する画面テーブル表示手段１２と、オペレータの指示により登録すべき画面が選択されたときその画面を関連図として関連図テーブル１１１に更新登録する関連図登録手段１１とを設けたものである。その他の構成は、図２４に示した従来例と同一であるので、同一要素には同一符号を付し重複する記載は省略する。
【００３４】
図１において、画面テーブル表示手段１２は、ポップアップ画面テーブル１０６およびベース画面テーブル１０５を表示し、オペレータは対話装置１０１により更新登録する画面を選択する。関連図登録手段１１は、選択されたポップアップ画面テーブル情報およびベース画面テーブル情報をオンラインで関連図テーブル１１１に更新する。
【００３５】
関連図登録手段１１は、オペレータからの対話装置１０１の操作により対話手段１０９を介して起動され、関連図登録手段１１の起動により画面テーブル表示手段１２が起動される。  画面テーブル表示手段１２は起動されると、ベース画面テーブル１０５とポップアップ画面テーブル１０６とから画面番号と画面名称を読み込み、画面表示手段１１０を通してその画面番号と画面名称との一覧を表示装置１００に表示する。
【００３６】
表示された画面番号と画面名称との一覧からオペレータが登録先の画面を対話装置１０１から選択すると、画面テーブル表示手段１２は選択された画面番号と画面名称とを関連図登録手段１１に通知し、これにより、関連図登録手段１１は、通知された画面番号をキーにして関連図テーブル１１１を検索し、選択された画面の関連図の画面番号と画面名称とを画面表示手段１１０を通じて表示装置１００に表示する。
【００３７】
オペレータは、関連画面を変更するときには、表示された関連図の画面番号を対話装置１０１から選択する。関連図登録手段１１は再度画面テーブル表示手段１２を起動し、画面テーブル表示手段１２から選択された画面番号と画面名称とが通知されると、その通知された画面番号と画面名称とを関連図テーブル１１１に更新する。これらの処理により、画面の関連図として表示したい任意の画面を登録することが可能となりオペレータの操作性が向上する。
【００３８】
図２は、本発明の第１の実施の形態における監視画面の画面レイアウト１２１の平面図である。ベース画面は４箇所のベース画面配置位置１〜４に表示され、ポップアップ画面はベース画面の上に表示される。ここでは、ベース画面１に「タービン系統図」、ベース画面２に「トレンドグラフ１」、ベース画面３およびベース画面４は表示なしの場合を示している。関連図ボタン１２２はベース画面に関連づけられている画面の一覧を表示するものである。
【００３９】
オペレータがベース画面２の「トレンドグラフ１」をベース画面１の「タービン系統図」と関連付けする場合について説明する。まず、オペレータは対話装置１０１を操作して、対話手段１０９から画面登録手段１１を呼び出す。そうすると、図３に示す関連図登録画面が表示装置１００に表示される。
【００４０】
オペレータは関連図登録画面の登録画面選択メニュー対話画面１３１中の画面テーブル表示を見て、登録先の画面を選択することになる。登録先の画面は、「タービン系統図」であるので、「タービン系統図」を選択して表示ボタン１３２を押す。これによって、関連図登録手段１１および画面テーブル表示手段１２は関連図選択メニュー登録画面１３３に展開する。
【００４１】
オペレータは、関連図選択メニュー登録画面１３３から登録変更する画面である「トレンドグラフ１」を選択して「→」ボタン１３５を押す。これによって、選択された「トレンドグラフ１」が登録画面一覧上に仮登録される。そこで、オペレータが登録ボタン１３４を押すと、関連図テーブル１１１に「トレンドグラフ１」が登録され処理が終了する。
【００４２】
図４は、第１の実施の形態における処理中の関連図テーブル１１１の遷移図であり、図４（ａ）は関連図登録前の状態を示し、図４（ｂ）に関連図登録後の状態を示す。図４（ｂ）に示すように、「タービン系統図」に「トレンドグラフ１」が追加登録されている。この登録終了後、オペレータが図２の監視画面上で「タービン系統図」の関連図ボタン１４２を押すと図５に示すように、関連図メニュー対話画面１４３上に「トレンドグラフ１」が表示され、ベース画面３を指定後、「トレンドグラフ１」を選択することで「トレンドグラフ１」がベース画面３に表示される。
【００４３】
この第１の実施の形態によれば、オペレータが表示中の画面の関連図として表示したい任意の画面を登録して関連図展開することが可能となり、オペレータの操作性が向上する。
【００４４】
次に、本発明の第２の実施の形態を説明する。図６は本発明の第２の実施の形態に係わる発電プラント監視装置のブロック構成図である。この第２の実施の形態は、図１に示した第１の実施の形態に対し、オペレータの指示により登録すべき関連図が選択されたとき、関連図テーブル１１１を参照して指定された画面が関連図として使用されている他の画面を検索し表示装置１００に表示する使用先画面検索手段２１を設けたものである。その他の構成は、図１に示した第１の実施の形態と同一であるので、同一要素には同一符号を付し重複する記載は省略する。
【００４５】
使用先画面検索手段２１は、オペレータが対話装置１０１を操作し対話手段１０９によって起動され、使用先画面検索手段２１の起動により画面テーブル表示手段１２が起動される。画面テーブル表示手段１２は、ベース画面テーブル１０５とポップアップ画面テーブル１０６とから画面番号と画面名称とを読み込み、画面表示手段１１０を通して画面番号と画面名称との一覧を表示装置１００に表示する。
【００４６】
表示された画面番号と画面名称との一覧からオペレータが登録先の画面を対話装置１０１から選択すると、画面テーブル表示手段１２は選択された画面番号と画面名称とを使用先画面検索手段２１に通知し、使用先画面検索手段２１は通知された画面番号をキーに関連図テーブル１１１を検索し、関連図として登録されている先の全ての画面番号と画面名称を取得する。使用先画面検索手段２１は、取得したデータを画面表示手段１１０を通じて表示装置１００に表示する。
【００４７】
この処理により、オペレータは特定の画面の関連図登録先を容易に把握でき、オペレータが画面の意味付けを変更したときに関連図を修正することが容易となりオペレータの操作性が向上する。
【００４８】
図７は、第２の実施の形態における関連図テーブル１１１の説明図である。ここでは、「トレンドグラフ１」は、「タービン系統図」と「トレンドグラフ２」との関連図として登録されている。ここで「トレンドグラフ１」の入力点を変更し、「タービン系統図」専用のトレンドグラフとする場合を想定する。この状態では、関連図は変更していないので「ボイラ系統図」の関連図として、「トレンドグラフ１」が登録されたままである。
【００４９】
まず、対話装置１０１を操作して対話手段１０９から関連図登録画面を呼び出すと、図８に示すように関連図登録画面の登録画面選択メニュー対話画面２１１が表示装置１００に表示される。
【００５０】
オペレータは関連図登録画面中の登録画面選択メニュー対話画面２１１を見て、使用先を検索したい「トレンドグラフ１」を選択して、使用先ボタン２２２を押す。これによって、使用先画面検索手段２１が起動され、使用先画面検索手段２１は「トレンドグラフ１」の画面番号「BAS0003」をキーとして関連図テーブル１１１を検索する。検索結果として「BAS0001タービン系統図」・「BAS0002 ボイラ系統図」・「BAS0004 トレンドグラフ２」が得られると、使用先画面検索手段２１は、検索結果を画面テーブル表示手段１２により関連図使用先画面一覧画面２２４を表示装置１００に表示する。
【００５１】
オペレータは、表示された使用先を見て「トレンドグラフ１」は「ボイラ系統図」には関係のない画面であると認識できるため、画面登録手段１１を用いて「トレンドグラフ１」を「ボイラ系統図」の関連図から削除することができる。
【００５２】
これにより、画面がどこの画面の関連図として登録されているかを把握することが容易に行えるようになり、オペレータが画面を修正した際に関連図がどこに登録されているかをチェックする負担が軽減される。従って、全画面の関連図を表示して、関連図テーブルを正しく修正することが容易に行える。
【００５３】
この第２の実施の形態によれば、オペレータが特定の画面の関連図登録先を容易に把握でき、画面の意味付けを変更した関連図を修正することが容易となり、オペレータの操作性が向上する。
【００５４】
次に、本発明の第３の実施の形態を説明する。図９は本発明の第３の実施の形態に係わる発電プラント監視装置のブロック構成図である。この第３の実施の形態は、図１に示した第１の実施の形態に対し、オペレータの指示により関連図の表示要求があったとき、関連図テーブル１１１を参照して関連図を一括選択し、一括選択した画面を表示装置１００の所定の位置に表示する画面配置手段３１を設けたものである。すなわち、関連図選択手段１１２は、関連図テーブル１１１を参照し関連図を一括選択する処理機能を備えており、画面配置手段３１により予め定められた表示位置に一括選択された画面を表示する。その他の構成は、図１に示した第１の実施の形態と同一であるので、同一要素には同一符号を付し重複する記載は省略する。
【００５５】
オペレータは対話装置１０１から対話手段１０９を通して関連図一覧表示手段１１３を呼び出し、ベース画面ないしポップアップ画面表示中に関連図一覧を表示する。関連図一覧表示手段１１３は、表示中の画面番号をキーとして関連図テーブル１１１を検索して関連する画面名称の一覧を得て、画面表示手段１１０を通して表示装置１００に関連画面名称の一覧を表示する。
【００５６】
オペレータは対話装置１０１から対話手段１０９を通して関連図選択手段１１２に対して関連図を全て表示する指示を行うと、関連図選択手段１１２はベース画面作成手段１０７ないしポップアップ画面作成手段１０８に対して画面作成要求を出力する。画面配置手段３１は関連図呼び出し元の画面以外のベース画面表示位置およびポップアップ画面表示位置を決定し画面表示手段１１０にそれぞれ通知し、画面表示手段１１０は画面配置手段３１で指定されたベース画面表示位置およびポップアップ画面表示位置を使用してベース画面およびポップアップ画面を表示装置１００に表示する。この処理により、オペレータが関連図を一括表示したいときの手順が簡素化されオペレータの操作性が向上する。
【００５７】
図１０は、本発明の第３の実施の形態における画面レイアウトの説明図である。ベース画面はベース画面配置位置１〜４の４箇所に表示可能であり、ポップアップ画面はベース画面の上に表示される。ここでは、ベース画面１に「タービン系統図」、ベース画面２ないしベース画面４には表示なしの場合を示している。また、図１１は、第３の実施の形態における関連図テーブル１１１の説明図であり、「タービン系統図」には関連図として「トレンドグラフ１」、「操作フレーム１」、「ボイラ系統図」が登録されている場合を示している。
【００５８】
いま、この状態にて、オペレータが「タービン系統図」監視中にプラントの異常を認め、関連画面を全て表示するときのことを考える。オペレータは対話装置１０１を操作して対話手段１０９から関連図選択手段１１２を呼び出す。これにより、図１２に示す画面レイアウト１２１の監視画面が表示装置１００に表示される。そして、関連図ボタン３３２を押してタービン系統図の関連図メニュー対話画面３３３を表示する。
【００５９】
図１１に示すように、関連図テーブル１１１には「トレンドグラフ１」、「操作フレーム１」、「ボイラ系統図」が関連図として既に登録されている。オペレータが図１２の関連図メニュー対話画面３３３上で一括ボタン３３４を押すと、「トレンドグラフ１」および「ボイラ系統図」はベース画面作成手段１０７に表示要求が通知され、「操作フレーム１」はポップアップ画面表示手段１０８に表示要求が通知され画面が作成される。
【００６０】
同時に関連図登録手段１１２は、画面配置手段３１に表示要求元の画面番号「BAS0001」と表示する画面番号「BAS0003」、「POP0001」、「BAS0002」を通知する。画面配置手段３１は、図１３に示すように、「BAS0001 タービン系統図」の表示位置が「ベース画面１」なので「BAS0003 トレンドグラフ１」と「BAS0002 ボイラ系統図」の画面とをそれぞれベース画面２およびベース画面３の位置に表示する。ポップアップ画面である、「POP0001 操作フレーム１」は従来通りポップアップ画面テーブル１０６の情報を元に表示される。
【００６１】
この第３の実施の形態によれば、関連図が複数登録されていても、そのいくつかを同時に表示でき、即時に複数の関連画面を見ることができるので、オペレータの負担が軽減される。すなわち、オペレータが表示中の画面の関連図を一括表示したいときの手順が簡素化されるので、オペレータの操作性が向上する。
【００６２】
次に、本発明の第４の実施の形態を説明する。図１４は本発明の第４の実施の形態に係わる発電プラント監視装置のブロック構成図である。この第４の実施の形態は、図１に示した第１の実施の形態に対し、入力テーブル１０４の入力点の情報が予め関連図テーブル１１１に記憶されたイベント情報と一致したときにその画面を表示装置１００に表示するよう通知する自動表示イベント通知手段４１を設け、関連図登録手段１１８は、関連図を関連図テーブル１１１に更新登録する際にイベント情報を表示装置１００に表示するようにしたものである。その他の構成は、図１に示した第１の実施の形態と同一であるので、同一要素には同一符号を付し重複する記載は省略する。
【００６３】
関連図テーブル１１１には入力テーブル１０４上の入力点およびその状態を規定するイベント情報が付加され、関連図登録手段１１は関連図テーブル１１１上のイベント情報を表示処理する機能が追加されている。
【００６４】
図１５は、第４の実施の形態における関連図テーブル１１１の説明図である。関連図テーブル１１１には、入力テーブル１０４上の入力点、イベント名称およびその入力点の規定状態がイベント情報として付加されている。
【００６５】
関連図登録手段１１は、オペレータからイベント情報の表示の要求を受けたとき、関連図登録画面にイベント情報を表示する。図１６は、第４の実施の形態における関連図登録画面の説明図である。まず、関連図登録画面のイベント選択メニュー対話画面４２１が表示される。図１６のイベント選択メニュー対話画面４２１には、「○○圧力高」と「△△警報」とのイベントが示されている。
【００６６】
いま、オペレータが「○○圧力高」イベントを選択し、表示ボタン４２２を押したとすると、「○○圧力高」イベントを持つ関連図が関連図選択メニュー登録画面４２３が表示される。さらに、その関連図選択メニュー登録画面４２３の「タービン系統図」を選択したとすると、「タービン系統図」の関連図として登録されている登録画面一覧が表示される。
【００６７】
これによって、オペレータは「○○圧力高」イベントに「トレンドグラフ１」と「ボイラ系統図」とが割りついていることを確認しながら関連図の変更を行うことができる。このように、関連図登録手段１１は関連図名称に加えイベント情報も併せて表示するので、オペレータは関連図にどのイベントが割りついているかを見ながら関連図の変更を行うことができる。
【００６８】
次に、自動表示イベント通知手段４１は、関連図テーブル１１１と入力テーブル１０４とを参照し、入力テーブル１０４の入力点の情報が関連図テーブル１１１のイベント情報と一致した際に、ベース画面作成手段１０７に対し該当する画面を通知する。自動表示イベント通知手段４１は、関連図テーブル１１１のイベント情報に従い入力テーブル１０４から必要な入力点の状態を状態イベントまたは周期的に取得する。自動表示イベント通知手段４１は入力点の状態が関連図テーブル１１１に規定されたイベント情報と一致したと判断したときに、関連図テーブル１１１の関連図のうちベース画面のものについてベース画面作成手段１０７に画面番号を通知する。ベース画面作成手段１０７では通知された画面番号に従って画面表示手段１１０を通じて表示装置１００の決められた位置に通知されたベース画面を表示する。
【００６９】
この処理により、オペレータがあるイベントに対して自動表示したい関連図を容易に変更することが可能となり、オペレータが自動表示を用いて監視する際の監視性が向上する。
【００７０】
すなわち、自動表示イベント通知手段４１は、関連図テーブル１１１のイベント情報に従い入力テーブル１０４から「タービン系統図」のイベント情報である「1CA0001、○○圧力高」と「1CD001、△△警報」との現在値を周期的に取得し、○○圧力の現在値が、規定状態の10MPaより大きくなると自動表示イベント通知手段４１はイベントが発生したと判断し、関連図テーブル１１１の関連図のうち「BAS0003、トレンドグラフ１」と「BAS0002、ボイラ系統図」をベース画面作成手段１０７に周期的に通知する。ベース画面作成手段１０７では通知された画面番号に従って画面表示手段１１０を通じて表示装置１００の１箇所のベース画面表示位置に通知されたベース画面を周期的に交互に表示する。
【００７１】
従って、オペレータがあるイベントに対して自動表示したい関連図を容易に変更することが可能となり、オペレータが自動表示を用いて監視する際の監視性が向上する。
【００７２】
次に、本発明の第５の実施の形態を説明する。図１７は本発明の第５の実施の形態に係わる発電プラント監視装置のブロック構成図である。この第５の実施の形態は、図１４に示した第４の実施の形態に対し、自動表示イベント通知手段４１で通知された画面の表示位置を予め設定し、自動表示イベント通知手段４１から複数枚の画面が通知されたとき予め設定した表示位置に複数枚の画面を表示処理する自動表示位置複数設定手段５１を設けたものである。その他の構成は、図１４に示した第４の実施の形態と同一であるので、同一要素には同一符号を付し重複する記載は省略する。
【００７３】
自動表示位置複数設定手段５１にて、イベント発生時に自動表示する複数のベース画面の表示位置を予め設定しておく。画面表示手段１１０は、イベント発生時に自動表示位置複数設定手段５１から通知されたベース画面表示位置に従ってベース画面を複数枚同時に表示装置１００に表示する。
【００７４】
自動表示位置設定手段５１は、オペレータが対話装置１０１を操作し対話手段１０９によって起動される。自動表示位置複数設定手段５１は、オペレータが対話装置１０１から対話手段１０９を通じて指定されたベース画面表示位置を自動表示位置として画面表示手段１１０に通知する。さらに別のベース画面表示位置についてもベース画面表示位置を自動表示位置として画面表示手段１１０に通知する。
【００７５】
画面表示手段１１０では、自動表示位置に設定されたベース画面表示位置を記憶する。また、自動表示イベント通知手段４１は入力点の状態が関連図テーブル１１１に規定されたイベント情報と一致したと判断したときに、関連図テーブル１１１の関連図のうちベース画面のものについてベース画面作成手段１０７に画面番号を通知する。このとき、関連図が複数登録されている場合、ベース画面作成手段１０７では通知された画面番号に従ってベース画面を全て作成し、画面表示手段１１０に通知する。画面表示手段１１０では通知されたベース画面を先に設定した自動表示位置に表示できるだけ表示する。
【００７６】
これにより、イベント発生時に自動表示したい関連図を複数同時表示することが可能となり、オペレータが自動表示を用いてプラントを監視する際の監視性が向上する。
【００７７】
図１８は、本発明の第５の実施の形態における関連図登録画面の画面レイアウトの説明図である。オペレータにより対話装置１０１が操作されて図１８に示す監視画面が表示される。そして、自動表示ボタン５１２を押すことによって、自動表示位置設定手段５１が起動される。自動表示位置複数設定手段５１は、ベース画面１を自動表示位置として画面表示手段１１０に通知する。画面表示手段１１０は、通知されたベース画面１を色付きの自動表示設定枠５１３ａで囲み、自動表示位置に設定されたことを表示装置１００に表示する。
【００７８】
続いて、オペレータが自動表示ボタン５１２を押すと、自動表示位置複数設定手段５１は、ベース画面２を自動表示位置として画面表示手段１１０に通知する。画面表示手段１１０は、ベース画面２も色付きの自動表示設定枠５１３ｂで囲み、自動表示位置に設定されたことを表示装置１００に表示する。
【００７９】
この状態にて、自動表示イベント通知手段４１は、関連図テーブル１１１のイベント情報に従い入力テーブル１０４から「1CA0001、○○圧力」と「1CD001、△△警報」の現在値を周期的に取得する。○○圧力の現在値が、規定状態の10MPaより大きくなると自動表示イベント通知手段４１はイベントが発生したと判断し、関連図テーブル１１１の関連図のうち「BAS0003、トレンドグラフ１」と「BAS0002、ボイラ系統図」をベース画面作成手段１０７に一度に通知する。ベース画面作成手段１０７では通知された画面番号に従ってベース画面を作成し、画面表示手段１１０に通知する。画面表示手段１１０では通知されたベース画面を先に設定した自動表示位置に「BAS0003、トレンドグラフ１」をベース画面１に「BAS0002、ボイラ系統図」をベース画面２に表示する。
【００８０】
この第５の実施の形態によれば、イベント発生時に自動表示したい関連図を複数同時表示することが可能となり、オペレータが自動表示を用いてプラントを監視する際の監視性が向上する。
【００８１】
次に、本発明の第６の実施の形態を説明する。図１９は本発明の第６の実施の形態に係わる発電プラント監視装置のブロック構成図である。この第６の実施の形態は、図１７に示した第５の実施の形態に対し、入力テーブルの入力点情報を表示しオペレータが選択した入力点情報を通知する入力テーブル表示手段６１を設け、関連図登録手段１１が、入力テーブル表示手段６１から通知された入力点情報をイベント情報として規定される状態と共に関連図テーブル１１１に更新登録するようにしたものである。その他の構成は、図１７に示した第５の実施の形態と同一であるので、同一要素には同一符号を付し重複する記載は省略する。
【００８２】
入力テーブル表示手段６１は、入力テーブル１０４を参照し入力点を表示してオペレータが選択した入力点情報を関連図登録手段１１に通知する。関連図登録手段１１は、入力テーブル表示手段６１から通知された入力点をイベントとして規定される状態とともに関連図テーブルを参照し更新する処理を行う。
【００８３】
関連図登録手段１１は、オペレータによる対話装置１０１の操作により対話手段１０９によって起動される。関連図登録手段１１は起動すると、入力テーブル表示手段６１を起動する。入力テーブル表示手段６１は、起動すると入力テーブル１０４から入力点情報を読み込み、画面表示手段１１０を通して入力点の一覧を表示装置１００に表示する。
【００８４】
そして、オペレータが自動表示用のイベントとして登録する入力点および規定状態を対話装置１０１から選択すると、入力点表示手段６１は選択された入力点番号、イベント名称、規定状態を関連図登録手段１１に通知する。関連図登録手段１１は、通知された入力点、イベント名称、規定状態を関連図テーブル１１１に登録する。
【００８５】
次に、オペレータは、画面テーブル表示手段１２を起動し画面番号と画面名称とを選択する。関連図登録手段１１は、画面テーブル表示手段１２から得た画面番号と画面名称および入力点テーブル表示手段６１から得たイベントの入力点番号と入力点の規定状態を関連図テーブル１１１に更新する。自動表示イベント通知手段４１は、新たに更新された関連図テーブル１１１を参照し、イベント発生時の自動表示処理を行う。
【００８６】
これにより、オペレータが自動表示させたいイベントおよび関連図を登録することが可能となり、オペレータが自動表示を用いて監視を行う際の監視性が向上する。
【００８７】
図２０は、本発明の第６の実施の形態における関連図登録画面の画面レイアウトの説明図である。オペレータにより対話装置１０１が操作され対話手段１０９によって関連図登録手段１１が起動されると、イベント選択メニュー画面６１１が表示される。イベント選択メニュー画面６１１には、関連図テーブル１１１に登録済みのイベント「1CA0001、○○圧力高」と「1CD001、△△警報」とが一覧表示される。
【００８８】
オペレータがイベントを追加したい場合には、イベントボタン６１３を押して入力テーブル表示手段６１を起動する。入力テーブル表示手段６１は、入力テーブル１０４から入力点情報を読み込み、画面表示手段１１０を通して入力点の一覧を入力テーブル一覧対話画面６１４として表示装置１００に表示する。そして、オペレータが自動表示用のイベントとして登録する入力点およびイベント名称や規定状態を「ICD002、□□警報、ＯＮ」として、登録ボタン６１５を押すと、入力点表示手段６１は選択された入力点、イベント名称、規定状態を関連図登録手段１１に通知して終了する。
【００８９】
関連図登録手段１１は、通知された「ICD002、□□警報、ＯＮ」を関連図テーブル１１１に登録し、イベント一覧中に含めて表示する。次にオペレータは、新たに登録されたイベント「□□警報」を選択し、表示ボタン６１２を押して、画面テーブル表示手段１２を起動する。これにより、関連図選択メニュー登録対話画面６１６が表示され、関連図選択メニュー登録対話画面６１６の「BAS0001 タービン系統図」を選択し、「→」ボタンを押して関連図を仮登録し、登録ボタン６１７を押して関連図登録手段１１に登録する。自動表示イベント通知手段４１は、新たに更新された関連図テーブル１１１を参照し、イベント発生時の自動表示処理を行うイベントとして「□□警報」を含めて処理を行う。
【００９０】
これにより、オペレータが自動表示させたいイベントおよび関連図を登録することが可能となり、オペレータが自動表示を用いて監視を行う際の監視性が向上する。
【００９１】
次に、本発明の第７の実施の形態を説明する。図２１は本発明の第７の実施の形態に係わる発電プラント監視装置のブロック構成図である。この第７の実施の形態は、図１９に示した第６の実施の形態に対し、関連図テーブル１１１に登録されたイベント情報を選択してそのイベントを模擬発生させる自動表示イベント模擬手段７１を設けたものである。その他の構成は、図１９に示した第６の実施の形態と同一であるので、同一要素には同一符号を付し重複する記載は省略する。
【００９２】
自動表示イベント模擬手段７１は、関連図テーブル１１１および入力テーブル１０４を参照し関連図テーブル１１１に登録された任意のイベントを発生させ、自動表示イベント通知手段４１に通知するものである。自動表示イベント模擬手段７１は、オペレータにより対話装置１０１が操作され対話手段１０９によって起動される。自動表示イベント模擬手段７１は起動されると、関連図テーブル１１１を検索し、自動表示イベントを一覧表示する。
【００９３】
そして、オペレータが対話装置１０１を操作して対話手段１０９を通じて一覧表示されているイベントを選択すると、自動表示イベント模擬手段７１は、選択されたイベントの入力点を規定状態に模擬し、自動表示イベント通知手段４１に通知する。自動表示イベント通知手段４１は、該当イベントの画面番号をベース画面作成手段１０７に通知して、画面表示手段１１０を通して表示装置１００にベース画面を表示する。
【００９４】
これにより、オペレータが自動表示される関連図を予め確認することができ、オペレータの自動表示に対する操作性が向上する。
【００９５】
図２２は、本発明の第７の実施の形態における自動表示イベント模擬を行う場合の画面レイアウトの説明図である。オペレータが自動表示イベント模擬手段７１を起動すると、自動表示イベント模擬手段７１は、関連図テーブル１１１を検索し、イベント模擬メニュー対話画面７１１を表示する。イベント模擬メニュー対話画面７１１には自動表示イベントが一覧表示される。オペレータがイベント「○○圧力高」を選択して実行ボタン７１２を押したとすると、自動表示イベント模擬手段７１は、「○○圧力高」の模擬指令を自動表示イベント通知手段４１に通知する。自動表示イベント通知手段４１は、「BAS0003、トレンドグラフ１」および「BAS0002、ボイラ系統図」の画面番号をベース画面作成手段１０７に通知して、画面表示手段１１０を通して表示装置１００にベース画面を表示する。
【００９６】
これにより、オペレータが自動表示される関連図を予め確認することができ、オペレータの自動表示に対する操作性が向上する。
【００９７】
次に、本発明の第８の実施の形態を説明する。図２３は本発明の第８の実施の形態に係わる発電プラント監視装置のブロック構成図である。この第８の実施の形態は、図１に示した第１の実施の形態に対し、
関連図登録手段１１により関連図テーブル１１に関連図情報が更新登録されたとき、その更新登録された関連図情報を他の発電プラント監視装置に配信する関連図テーブル配信手段８１を設けたものである。その他の構成は、図１に示した第１の実施の形態と同一であるので、同一要素には同一符号を付し重複する記載は省略する。
【００９８】
関連テーブル配信手段８１は、関連図登録手段１１によって関連図テーブル１１１を更新したときに起動される。関連図テーブル配信手段８１は、関連図テーブル１１１の更新情報を関連図登録手段１１から受け取り、他の発電プラント監視装置の関連図テーブル配信手段８１に通知する。通知された側の関連図テーブル配信手段８１は、関連図テーブル１１１をオンラインで更新する。これにより、複数の発電プラント監視装置に同一の関連図情報を持たせたいときの手順が削減されオペレータの操作性が向上する。
【００９９】
なお、上述した各実施の形態において記載した手法は、コンピュータに実行させることのできるプログラムとして、記憶媒体に記憶し各装置に応用したり、通信媒体により伝送して各種装置に適用することも可能である。
【０１００】
本発明における記憶媒体としては、磁気ディスク、フロッピーディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。また、ここで記憶媒体とは、コンピュータと独立した媒体に限らず、ＬＡＮやインターネットなどにより伝送されたプログラムをダウンロードして記憶または一時記憶した記憶媒体も含まれる。
【０１０１】
【発明の効果】
以上述べたように、請求項１の発明によれば、オペレータが表示中の画面の関連図として表示したい任意の画面を登録することが可能となり、オペレータの操作性が向上する。
【０１０２】
請求項２の発明によれば、オペレータが特定の画面の関連図登録先を容易に表示でき、画面の意味付けを変更した関連図を修正することが容易となる。その結果としてオペレータの操作性が向上する。
【０１０３】
請求項３の発明によれば、オペレータが表示中の画面の関連図を一括表示したいときの手順が削減され、オペレータの操作性が向上する。
【０１０４】
請求項４の発明によれば、オペレータがあるイベントに対して自動表示したい関連図を容易に変更することが可能となり、オペレータが自動表示を用いて監視する際の監視性が向上する。
【０１０５】
請求項５の発明によれば、イベント発生時に自動表示したい関連図を複数同時表示することが可能となり、オペレータが自動表示を用いてプラントを監視する際の監視性が向上する。
【０１０６】
請求項６の発明によれば、オペレータが自動表示させたいイベントおよび関連図を登録することが可能となり、オペレータが自動表示を用いて監視を行う際の監視性が向上する。
【０１０７】
請求項７の発明によれば、オペレータが自動表示される関連図を予め確認することができ、オペレータの自動表示に対する操作性が向上する。
【０１０８】
請求項８の発明によれば、複数の発電プラント監視装置に同一の関連図情報を持たせたいときの手順が削減され、オペレータの操作性が向上する。
【図面の簡単な説明】
【図１】本発明の第１の実施の形態に係わる発電プラント監視装置のブロック構成図。
【図２】本発明の第１の実施の形態における監視画面の画面レイアウトの平面図。
【図３】本発明の第１の実施の形態における関連図登録画面の説明図。
【図４】本発明の第１の実施の形態における処理中の関連図テーブルの遷移図。
【図５】本発明の第１の実施の形態における関連図更新後の監視画面の画面レイアウトの平面図。
【図６】本発明の第２の実施の形態に係わる発電プラント監視装置のブロック構成図。
【図７】本発明の第２の実施の形態における関連図テーブルの説明図。
【図８】本発明の第２の実施の形態における関連図登録画面の説明図。
【図９】本発明の第３の実施の形態に係わる発電プラント監視装置のブロック構成図。
【図１０】本発明の第３の実施の形態における関連画面の展開前の画面レイアウトの説明図。
【図１１】本発明の第３の実施の形態における関連図テーブルの説明図。
【図１２】本発明の第３の実施の形態における関連画面の展開途中の画面レイアウトの説明図。
【図１３】本発明の第３の実施の形態における関連画面の展開後の画面レイアウトの説明図。
【図１４】本発明の第４の実施の形態に係わる発電プラント監視装置のブロック構成図。
【図１５】本発明の第４の実施の形態における関連図テーブルの説明図。
【図１６】本発明の第４の実施の形態における関連図登録図面の説明図。
【図１７】本発明の第５の実施の形態に係わる発電プラント監視装置のブロック構成図。
【図１８】本発明の第５の実施の形態における関連図登録画面の画面レイアウトの説明図。
【図１９】本発明の第６の実施の形態に係わる発電プラント監視装置のブロック構成図。
【図２０】本発明の第６の実施の形態における関連図登録画面の画面レイアウトの説明図。
【図２１】本発明の第７の実施の形態に係わる発電プラント監視装置のブロック構成図。
【図２２】本発明の第７の実施の形態における自動表示イベント模擬を行う場合の画面レイアウトの説明図。
【図２３】本発明の第８の実施の形態に係わる発電プラント監視装置のブロック構成図。
【図２４】従来の発電プラント監視装置の構成図。
【図２５】従来例における入力点テーブルの説明図。
【図２６】従来例におけるベース画面テーブルの説明図。
【図２７】従来例におけるポップアップ画面テーブルの説明図。
【図２８】従来例における関連図テーブルの説明図。
【符号の説明】
１１…関連図登録手段、１２…画面テーブル表示手段、２１…使用先画面検索手段、３１…画面配置手段、４１…自動表示イベント通知手段、５１…自動表示位置複数設定手段、６１…入力テーブル表示手段、７１…自動表示イベント模擬手段、８１…関連図テーブル配信手段、１００…表示装置、１０１…対話装置、１０２…入力手段、１０３…プラントデータ、１０４…入力テーブル、１０５…ベース画面テーブル、１０６…ポップアップ画面テーブル、１０７…ベース画面作成手段、１０８…ポップアップ画面作成手段、１０９…画面表示手段、１１０…対話手段、１１１…関連図テーブル、１１２…関連図一覧表示手段、１１３…関連図選択手段、１２１…画面レイアウト、１２２、３３２…関連図ボタン、１３１、２２１…登録画面選択メニュー対話画面、１３２、２２２…表示ボタン、１３３…関連図選択メニュー登録対話画面、１３４…登録ボタン、１３５…矢印ボタン、１４３…関連図メニュー対話、２２３…使用先ボタン、２２４…関連図使用先画面一覧画面、３３３…関連図メニュー対話、３３４…一括ボタン、４２１…イベント選択メニュー対話画面、４２２…表示ボタン、４２３…関連図選択メニュー対話画面、５１２…自動表示ボタン、５１３…自動表示設定枠、６１１…イベント選択メニュー対話画面、６１２…表示ボタン、６１３…イベントボタン、６１４…入力テーブル一覧対話画面、６１５…登録ボタン（入力テーブル一覧）、６１６…関連図選択メニュー登録対話画面、６１７…登録ボタン（関連図選択メニュー登録）
【図１】
0005060000.tif 000002
【図２】
0005060000.tif 000003
【図３】
0005060000.tif 000004
【図４】
0005060000.tif 000005
【図５】
0005060000.tif 000006
【図６】
0005060000.tif 000007
【図７】
0005060000.tif 000008
【図８】
0005060000.tif 000009
【図９】
0005060000.tif 000010
【図１０】
0005060000.tif 000011
【図１１】
0005060000.tif 000012
【図１２】
0005060000.tif 000013
【図１３】
0005060000.tif 000014
【図１４】
0005060000.tif 000015
【図１５】
0005060000.tif 000016
【図１６】
0005060000.tif 000017
【図１７】
0005060000.tif 000018
【図１８】
0005060000.tif 000019
【図１９】
0005060000.tif 000020
【図２０】
0005060000.tif 000021
【図２１】
0005060000.tif 000022
【図２２】
0005060000.tif 000023
【図２３】
0005060000.tif 000024
【図２４】
0005060000.tif 000025
【図２５】
0005060000.tif 000026
【図２６】
0005060000.tif 000027
【図２７】
0005060000.tif 000028
【図２８】
0005060000.tif 000029